(57)【要約】【課題】取り付け取り外しの操作が容易に行え、使い勝手を高める上で有利な遮光フードを提供する。【解決手段】遮光フード５０は、フレーム５２と、複数の係止爪５４と、遮光板５６などを含んで構成されている。フレーム５２の互いに対向する一対の長辺部分の両側に係止爪５４がそれぞれ設けられ、一方の長辺部分に設けられた係止爪５４はフレーム５２に対して固定された固定爪７２として形成され、他方の長辺部分に設けられた係止爪５４は、前記一方の長辺部分に対して離間接近する方向に移動可能な可動爪７４として形成されている。可動爪７４を、固定爪７２が設けられた前記長辺部分に向けて付勢する付勢手段７６が設けられている。固定爪７２が設けられた前記長辺部分に向かう方向における可動爪７４の限界位置を決定するストッパ７８が設けられている。【選択図】図６
2008066835.tif 000002
【特許請求の範囲】
【請求項１】
ディスプレイパネルに取着される遮光フードであって、
内側に開口が貫通する枠状のフレームと、
前記開口が貫通する方向における前記枠状のフレームの一方の面である前面から前方に突出し前記ディスプレイパネルに係脱する複数の係止爪と、
前記開口が貫通する方向における前記枠状のフレームの他方の面である後面から後方に突出する遮光板とを備え、
前記複数の係止爪は、前記フレームの互いに対向する箇所に設けられ、
前記互いに対向する箇所のうちの一方の箇所に設けられた係止爪は前記フレームに対して固定された固定爪として形成され、
前記互いに対向する箇所のうちの他方の箇所に設けられた係止爪は、前記一方の箇所に対して離間接近する方向に移動可能な可動爪として形成され、
前記可動爪を前記一方の箇所に向けて付勢する付勢手段が設けられ、
前記可動爪の前記一方の箇所に向かう方向における限界位置を決定するストッパが設けられている、
ことを特徴とする遮光フード。
【請求項２】
前記固定爪が前記他方の箇所に臨む面と、前記可動爪が前記一方の箇所に臨む面とに、それぞれ弾性部材が取着されている、
ことを特徴とする請求項１記載の遮光フード。
【請求項３】
前記フレームは、長方形の枠状を呈し、
前記固定爪は、前記フレームを構成する一対の長辺部分のうちの一方の長辺部分の両側にそれぞれ設けられ、
前記可動爪は、前記フレームを構成する一対の長辺部分のうちの他方の長辺部分の両側にそれぞれ設けられ、
前記可動爪は、前記フレームを構成する一対の短辺部分の延在方向と平行する方向に移動する、
ことを特徴とする請求項１記載の遮光フード。
【請求項４】
前記フレームは、長方形の枠状を呈し、
前記固定爪は、前記フレームを構成する一対の長辺部分のうちの一方の長辺部分の両側にそれぞれ設けられ、
前記可動爪は、前記フレームを構成する一対の長辺部分のうちの他方の長辺部分の両側で前記固定爪よりも前記長辺部分の端部寄りに位置する箇所にそれぞれ設けられ、
前記可動爪は、前記フレームを構成する一対の短辺部分の延在方向と平行する方向に移動する、
ことを特徴とする請求項１記載の遮光フード。
【請求項５】
前記固定爪の先部は、先端に至るにつれて前記他方の箇所に近づく方向に湾曲する湾曲部として形成され、
前記可動爪の先部は、先端に至るにつれて前記一方の箇所に近づく方向に湾曲する湾曲部として形成されている、
ことを特徴とする請求項１記載の遮光フード。
【請求項６】
前記フレームは、長方形の枠状を呈し、
前記固定爪は、前記フレームを構成する一対の長辺部分のうちの一方の長辺部分の両側にそれぞれ設けられ、
前記可動爪は、前記フレームを構成する一対の長辺部分のうちの他方の長辺部分の両側にそれぞれ設けられ、
前記可動爪は、前記フレームを構成する一対の短辺部分の延在方向と平行する方向に移動し、
前記固定爪の先部は、先端に至るにつれて前記他方の長辺部分に近づく方向に湾曲する湾曲部として形成され、
前記可動爪の先部は、先端に至るにつれて前記一方の長辺部分に近づく方向に湾曲する湾曲部として形成され、
前記ディスプレイパネルが表示面を有する内面とその反対に位置する外面は、前記枠状のフレームの前面とは同じ輪郭の長方形で形成され、
前記ディスプレイパネルの外面は、前記長方形の短辺の延在方向の中央で前記長方形の長辺の延在方向に平行して延在する中央部が前記内面との間の寸法が最も大きく、前記長方形の短辺の延在方向の両端で前記長方形の長辺の延在方向に平行して延在する両端部が前記内面との寸法が最も小さくなる円筒面で形成されており、
前記遮光フードが前記ディスプレイパネルに取着された状態で、前記固定爪の湾曲部と前記可動爪の湾曲部は前記円筒面に係止する、
ことを特徴とする請求項１記載の遮光フード。
【請求項７】
前記フレームの後面には、前記開口が貫通する方向と直交する面上で前記開口の周りを長方形の枠状に延在する４つの後面部と、前記４つの後面部の外縁からそれぞれ後方に起立する壁部とが設けられ、
前記遮光板は、前記４つの後面部のうちで前記長方形の長辺に対応する１つの後面部に設けられ該１つの後面部と同じ幅を有する第１遮光板部と、前記４つの後面部のうちで前記長方形の２つの短辺に対応する２つの後面部にそれぞれ設けられ前記第１遮光板部の幅方向の両側に折り畳み可能に連結された２つの第２遮光板部とを備え、
前記遮光板は、使用状態と非使用状態との２つの姿勢がとられるように構成され、
前記使用状態において、前記第１遮光板部は、前記1つの長辺に対応する前記後面部の外縁から前記壁部の内側に沿って後方に延在し、前記２つの第２遮光板部は、前記２つの短辺にそれぞれ対応する前記後面部の外縁から前記壁部の内側に沿って後方に延在し、
前記非使用状態において、前記２つの第２遮光板部は、前記使用状態において前記第１遮光板部が前記開口に臨む内面に折り畳まれ、前記２つの第２遮光板部が折り畳まれた前記第１遮光板部は、それら折り畳まれた２つの第２遮光板部が前記後面部上に位置するように前記後面部上に折り畳まれて前記開口を閉塞する、
ことを特徴とする請求項１記載の遮光フード。
【請求項８】
前記遮光板の非使用状態において、前記第１遮光板部は、前後方向において前記壁部の先端よりも前記開口側に位置している、
ことを特徴とする請求項７記載の遮光フード。
【請求項９】
前記２つの短辺に対応する２つの後面部の外縁から起立する前記壁部に、板状の磁石または該磁石に吸着される金属板の一方が設けられ、前記使用状態において前記板状の磁石または該磁石に吸着される金属板の一方に臨む前記第２遮光板部の箇所に、前記板状の磁石または該磁石に吸着される金属板の他方が設けられている、
ことを特徴とする請求項７記載の遮光フード。
【請求項１０】
前記第１遮光板部が設けられた前記１つの後面部に対向する後面部に、板状の磁石または該磁石に吸着される金属板の一方が設けられ、前記非使用状態において前記板状の磁石または該磁石に吸着される金属板の一方に臨む前記第１遮光板部の箇所に、前記板状の磁石または該磁石に吸着される金属板の他方が設けられている、
ことを特徴とする請求項７記載の遮光フード。
【請求項１１】
前記第１遮光板部には屈曲可能な屈曲部を介して取り付け板部が連結され、
前記遮光板の前記フレームへの取り付けは、前記取り付け板部が前記長方形の長辺に対応する１つの後面部と、この後面部の外縁から起立する壁部との間に設けられた溝に挿入されて前記フレームに取着されることでなされている、
ことを特徴とする請求項７記載の遮光フード。
【請求項１２】
前記遮光板は、遮光性を有する合成樹脂製の薄板材と、前記使用状態において前記薄板材が前記開口に臨む内面に取着された反射防止機能に優れる布とで構成されている、
ことを特徴とする請求項７記載の遮光フード。
【請求項１３】
前記２つの第２遮光板部は、使用状態において前記長方形の２つの短辺にそれぞれ対応する前記後面部の箇所に当接する前縁と、前記第１遮光板部の側部に折り畳み可能に連結される上縁と、前記前縁の下端と前記上縁の後端とを接続する後縁とを備え、
前記後縁は、後方に至るにつれて次第に前記第１遮光板部に近づく傾斜縁を有している、
ことを特徴とする請求項７記載の遮光フード。
【発明の詳細な説明】
【技術分野】
【０００１】
本発明はディスプレイパネルに取り付ける遮光フードに関する。
【背景技術】
【０００２】
ビデオカメラなどの撮像装置として、レンズ鏡筒や撮像素子などが組み込まれた本体と、本体の側面に揺動可能に取り付けられ撮像素子で撮像された被写体の画像などを表示するディスプレイパネル（モニタ）とを備えるものが提供されている。
多くの場合、ディスプレイパネルはヒンジ部を介して本体側面に連結されており、ヒンジ部は本体の上下方向に延在する第１の軸線回りにディスプレイパネルを揺動可能に支持すると共に、第１の軸線と直交する第２の軸線回りにディスプレイパネルを揺動可能に支持している。
したがって、ディスプレイパネルは、その表示面を本体の側面に臨ませて重ね合わされて収容された収容位置と、収容位置から開かれて表示面を撮影者側（後方）に向けた第１の使用位置と、表示面を本体の外側方に向けるとともにディスプレイパネルの背面を本体の側面に臨ませて重ね合わされて収容された第２の使用位置とに揺動可能とされている。
ところで、晴れた屋外や明るい室内などで撮影を行う場合、ディスプレイパネルの表示面に外光が当たって反射すると表示面が視認しづらくなるため、ディスプレイパネルに装着することで外光を遮光する遮光フードが提供されている。
このような遮光フードとして、ディスプレイパネルに当接する矩形枠状の基枠部と、基枠部のディスプレイパネルに当接する面と反対側の面に設けられた筒状の遮光フード部と、基枠部に連結された弾性帯状体とを有し、基枠部の一方の面をディスプレイパネルに当て付けた状態で弾性帯状体をディスプレイの背面に掛け回し弾性帯状体の一端を基枠部に掛止することで遮光フードをディスプレイパネルに取り付けるようにしたものが提案されている（特許文献１参照）。
【特許文献１】特開２００２−１０１１１
【発明の開示】
【発明が解決しようとする課題】
【０００３】
上記の遮光フードでは、弾性帯状体をディスプレイパネルの背面に掛け回すことからディスプレイパネルに対する着脱操作が煩雑であり、特に、頻繁に移動を繰り返して撮影を行う用途では撮像装置の移動前および移動後において遮光フードの取り付け取り外しの操作に時間がかかり、撮影を円滑に行う上で不利があった。
本発明はこのような事情に鑑みなされたものであり、その目的は、取り付け取り外しの操作が容易に行え、使い勝手を高める上で有利な遮光フードを提供することにある。
【課題を解決するための手段】
【０００４】
上述の目的を達成するため、本発明は、ディスプレイパネルに取着される遮光フードであって、内側に開口が貫通する枠状のフレームと、前記開口が貫通する方向における前記枠状のフレームの一方の面である前面から前方に突出し前記ディスプレイパネルに係脱する複数の係止爪と、前記開口が貫通する方向における前記枠状のフレームの他方の面である後面から後方に突出する遮光板とを備え、前記複数の係止爪は、前記フレームの互いに対向する箇所に設けられ、前記互いに対向する箇所のうちの一方の箇所に設けられた係止爪は前記フレームに対して固定された固定爪として形成され、前記互いに対向する箇所のうちの他方の箇所に設けられた係止爪は、前記一方の箇所に対して離間接近する方向に移動可能な可動爪として形成され、前記可動爪を前記一方の箇所に向けて付勢する付勢手段が設けられ、前記可動爪の前記一方の箇所に向かう方向における限界位置を決定するストッパが設けられていることを特徴とする。
【発明の効果】
【０００５】
本発明によれば、遮光フードを固定爪と可動爪を用いてディスプレイパネルに装着するようにしたので、遮光フードのディスプレイパネルに対する装着および取り外しが迅速かつ簡単に行え、使い勝手を高める上で有利となる。
【発明を実施するための最良の形態】
【０００６】
（第１の実施の形態）
次に、本発明の実施の形態について図面を参照して説明する。
まず、本実施の形態の遮光フード５０が取り付けられる撮像装置１０について説明する。
図１、図２、図３は撮像装置１０の斜視図である。
本実施の形態では、撮像装置１０はビデオカメラである。
図１、図２、図３に示すように、撮像装置１０の外装を構成するケース１２（筐体）は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれたレンズ鏡筒１６が前後に延在し、その前部がケース１２の前面に臨むように設けられ、したがって、被写体像はケース１２の前部からケース１２の内部に導かれる。
レンズ鏡筒１６の後端には撮影光学系１４によって導かれた被写体像を撮像する不図示の撮像素子が設けられている。
ケース１２の左側部には、前記撮像素子によって撮像された被写体像などを表示するための後述するディスプレイパネル１８が開閉可能に設けられている。
ケース１２の右側部には、画像データや音声データを記録するディスク状記録媒体が装脱可能に装着されるディスク装着部２０が設けられ、ディスク装着部２０は開閉蓋２２により開閉される。
ケース１２の右側面には、前後方向に延在する不図示のグリップベルトが設けられている。
ケース１２の上面前部には、音声を収音するためのマイクロフォン２４が設けられている。
ケース１２の上面後部には、ディスプレイが組み込まれた電子式ビューファインダー装置２６が設けられている。
図２に示すように、撮像装置１０のケース１２には、撮影にまつわる種々の機能を実行するための操作スイッチとして、電源スイッチ２８Ａ、静止画撮影用スイッチ２８Ｂ、ズーム用スイッチ２８Ｃ、モード切り換え用スイッチ２８Ｄ、動画撮影用スイッチ２８Ｅなどが設けられている。また、ディスプレイパネル１８には、パネル側動画撮影用スイッチ３０Ａ、パネル側ズーム用スイッチ３０Ｂ、メニュー操作用スイッチ３０Ｃが設けられている。また、図３に示すように、ケース１２の上面でディスク装着部２０近傍の箇所には開閉蓋２２を開放する際に操作される蓋開放スイッチ３２が設けられている。
本実施の形態では、図２に示すように、ケース１２の左側面に収容凹部１２０２が設けられ、収容凹部１２０２の底面１２０２Ａは、ケース１２左側面の一部を構成している。
【０００７】
ディスプレイパネル１８はディスプレイ装置３３とパネル用ケース３４とを備え、ディスプレイパネル１８の内面とその反対に位置する外面は、枠状のフレーム５２の前面５２Ａと同じ輪郭の長方形で形成されている。
ディスプレイ装置３３は、前記撮像素子で撮像された被写体像などの画像を表示するものであり、画像を表示する長方形の表示面３３０２を有し、この表示面３３０２はディスプレイパネル１８の内面に設けられている。
本実施の形態では、ディスプレイ装置３３は液晶ディスプレイ装置で構成されている。なお、ディスプレイ装置３３の種類は任意であり、例えば、有機ＥＬディスプレイ装置であってもよい。
【０００８】
パネル用ケース３４は、ディスプレイ装置３３を収容するものであり、ディスプレイ装置３３よりも大きい輪郭を有している。
パネル用ケース３４は、厚さと、前記厚さよりも大きな寸法の幅と、前記幅よりも大きな寸法の長さを有する長方形板状（矩形板状）を呈し、パネル用ケース３４の長さ方向の端部である前端に位置する辺部分が、ヒンジ３６を介してケース１２の左側面の前部に左右方向に揺動可能に、かつ、回転可能に支持されている。
ヒンジ３６は、ケース１２とパネル用ケース３４とを連結する第１の軸Ｐ１（図１参照）と第２の軸Ｐ２（図１参照）を含んで構成されている。
さらに詳細に説明すると、図２に示すように、パネル用ケース３４の前端は、撮像装置１０の上下方向に沿って延在する第１の軸Ｐ１を中心に揺動可能に（本実施の形態では９０度の範囲で揺動可能に）、かつ、第１の軸Ｐ１と直交し水平方向に延在する第２の軸Ｐ２を中心に回転可能に（本実施の形態では２７０度の範囲で回転可能に）支持され、符号Ｏ１、Ｏ２はそれぞれ第１の軸Ｐ１の軸心と第２の軸Ｐ２の軸心を示している。
パネル用ケース３４は外面３４０２と内面３４０４を有している。
内面３４０４は、表示面３３０２と平行する同一面上で表示面３３０２の周囲を囲むように長方形の枠状に延在し、この内面３４０４に撮影にまつわる操作部材が配置されている。本実施の形態では、操作部材はパネル側動画撮影用スイッチ３０Ａ、パネル側ズーム用スイッチ３０Ｂ、メニュー操作用スイッチ３０Ｃである。また、本実施の形態では、図２に示すように、それらスイッチ３０Ａ、３０Ｂ、３０Ｃは、下側の長辺に配置され、図３に示すように、それらスイッチ３０Ａ、３０Ｂ、３０Ｃは後述する第２の使用位置でディスプレイ装置３３の上方に位置する。
外面３４０２は長方形を呈し、前記長方形の短辺の延在方向の中央で前記長方形の長辺の延在方向に平行して延在する中央部が内面３４０４との間の寸法が最も大きく、前記長方形の短辺の延在方向の両端で前記長方形の長辺の延在方向に平行して延在する両端部が内面３４０４との寸法が最も小さくなる円筒面で形成されている。本実施の形態では、この湾曲面は、軸心Ｏ２と平行する仮想軸を中心とした円筒面であり、外面３４０２はディスプレイパネル１８が後述する収納位置（イ）（図１参照）に位置した状態で、撮像装置１０の左側面を構成するものである。
【０００９】
ディスプレイパネル１８は、収納位置（イ）と、第１の使用位置（ロ）と、第２の使用位置（ハ）との間で移動する。
すなわち、ディスプレイパネル１８は、第１の軸Ｐ１を中心に揺動してケース１２に対して閉じ表示面３３０２がケース１２の収容凹部１２０２の底面１２０２Ａ（収納面）に近接する収納位置（イ）となり、収納位置（イ）ではディスプレイパネル１８は収容凹部１２０２に収容される。
また、収納位置（イ）からディスプレイパネル１８が第１の軸Ｐ１を中心に揺動してケース１２に対して直交する方向に開くと、表示面３３０２が後方を向き視認可能となる第１の使用位置（ロ）（図２参照）となる。
また、第１の使用位置（ロ）において第２の軸Ｐ２を中心に１８０度回転しかつ第１の軸Ｐ１を中心に揺動させ、ディスプレイパネル１８をケース１２に対して閉じると、外面３４０２が底面１２０２Ａに近接して表示面３３０２が視認可能となる第２の使用位置（ハ）（図３参照）となる。
【００１０】
本実施の形態では、ディスプレイ装置３３の表示面３３０２にタッチパネル１９が設けられ、表示面３３０２に表示されたアイコンに対応するタッチパネル１９の箇所を指やスタイラスで触れることにより、種々の操作ができるようになっている。
なお、図２に示すように、収容凹部１２０２の底面１２０２Ａにスピーカ３８、メモリカード用スロット４０などが設けられ、それらは収納位置（イ）でディスプレイパネル１８により隠される。
【００１１】
次に本実施の形態に係る遮光フード５０について説明する。
図４は遮光フード５０をディスプレイパネル１８に取り付ける際の説明図、図５は遮光フード５０をディスプレイパネル１８に取り付けた状態の説明図、図６、図７は遮光フード５０の斜視図、図８は遮光板５６の非使用状態の説明図、図９は遮光板５６の一部を破断して磁石５８、６０を露出させた図、図１０は遮光フード５０が装着されたディスプレイパネル１８を第２の使用位置に位置させた状態を示す図である。
遮光フード５０は、晴れた屋外や明るい室内などで撮影を行う場合にディスプレイパネル１８の表示面３３０２に外光が当たることを防止し、表示面３３０２を視認しやすくするためのものである。
遮光フード５０は、フレーム５２と、複数の係止爪５４と、遮光板５６などを含んで構成されている。
【００１２】
図６、図７に示すように、フレーム５２は、長方形の枠状を呈し、その内側に開口５２０２が貫通している。
開口５２０２は、ディスプレイ装置３３の表示面３３０２を視認できるように表示面３３０２に対応した大きさの長方形に形成されている。
開口５２０２が貫通する方向におけるフレーム５２の一方の面である前面５２Ａは、互いに対向する一対の長辺部分と一対の短辺部分とを有し、それら長辺部分と短辺部分は、開口５２０２が貫通する方向と直交する同一面上を延在している。
この前面５２Ａは、図４、図５に示すように、遮光フード５０がディスプレイパネル１８に装着される際に、ディスプレイケース３４の内面３４０４に合わされる箇所である。
なお、図６に示すように、一対の長辺部分のうちの下方に位置する長辺部分には欠部５２０４が設けられ、この欠部５２０４にスポンジ５２０６が装着されている。それら欠部５２０４及びスポンジ５２０６は、遮光フード５０がディスプレイパネル１８に装着された際に、ディスプレイケース３４のパネル側動画撮影用スイッチ３０Ａ、パネル側ズーム用スイッチ３０Ｂ、メニュー操作用スイッチ３０Ｃに接触し、それらスイッチの誤動作を防止し、また、それらの箇所から遮光フード５０の内部への外光の侵入を阻止するためのものである。
なお、欠部５２０４を介した外光の侵入がなければ、スポンジ５２０６を設けず、切り欠き５２０４を介してパネル側動画撮影用スイッチ３０Ａ、パネル側ズーム用スイッチ３０Ｂ、メニュー操作用スイッチ３０Ｃの操作を行えるように切り欠き５２０４を構成してもかまわない。
【００１３】
図７に示すように、開口５２０２が貫通する方向におけるフレーム５２の他方の面である後面５２Ｂは、開口５２０２が貫通する方向と直交する面上で開口５２０２の周りを長方形の枠状に延在する４つの後面部５２１０と、４つの後面部５２１０の外縁からそれぞれ後方に起立する壁部５２１２とを含んで構成されている。
長方形の短辺部分に対応する２つの後面部５２１０の外縁から起立する壁部５２１２に、板状の磁石または該磁石に吸着される金属板の一方が設けられている。本実施の形態では、図７に示すように、壁部５２１２の延在方向の中間部から後方に突出する突出片５２１３が設けられ、この突出片５２１３に金属板５８が設けられている。
また、長方形の長辺部分に対応する１つの後面部５２１０に、板状の磁石または該磁石に吸着される金属板の一方が設けられている。本実施の形態では、壁部５２１２の延在方向の中間部に、他の壁部５２１２の部分よりも厚さを大きくした膨出部５２１５が設けられ、この膨出部５２１５に金属板６０が設けられている。
【００１４】
遮光板５６はフレーム５２の後面５２Ｂに取着され、遮光板５６は、図４に示す使用状態（５６Ａ）と、図８に示す非使用状態（５６Ｂ）との２つの姿勢がとられるように構成されている。
遮光板５６は、図６、図７に示すように、４つの後面部５２１０のうちで前記長方形の長辺に対応する１つの後面部５２１０に設けられ該１つの後面部５２１０と同じ幅を有する第１遮光板部６２と、４つの後面部５２１０のうちで前記長方形の２つの短辺に対応する２つの後面部５２１０にそれぞれ設けられ第１遮光板部６２の幅方向の両側に折り畳み可能に連結された２つの第２遮光板部６４とを備えている。
第１遮光板部６２には、図６に示すように、屈曲可能な屈曲部６６０２を介して取り付け板部６６が連結されている。
遮光板５６のフレーム５２への取り付けは、取り付け板部６６が前記長方形の長辺に対応する１つの後面部５２１０と、この後面部５２１０の外縁から起立する壁部５２１２との間に設けられた溝に挿入されてフレーム５２に取着されることでなされている。
【００１５】
図４、図５に示すように、使用状態において、第１遮光板部６２は、前記1つの長辺に対応する後面部５２１０の外縁から壁部５２１２の内側に沿って後方に延在し、２つの第２遮光板部６４は、前記２つの短辺にそれぞれ対応する後面部５２１０の外縁から壁部５２１２の内側に沿って後方に延在している。
図８に示すように、非使用状態において、２つの第２遮光板部６４は、使用状態において第１遮光板部６２が開口５２０２に臨む内面に折り畳まれ、２つの第２遮光板部６４が折り畳まれた第１遮光板部６２は、それら折り畳まれた２つの第２遮光板部６４が後面部５２１０上に位置するように後面部５２１０上に折り畳まれて開口５２０２を閉塞している。
なお、非使用状態において、第１遮光板部６２は、前後方向において壁部５２１２の先端よりも開口５２０２側に位置している。
図７に示すように、遮光板５６は、遮光性を有する合成樹脂製の薄板材５６０２と、その薄板材５６０２の一方の面に取着された反射防止機能に優れる布５６０４などで構成され、布５６０４は、使用状態において、第１遮光板部６２および２つの第２遮光板部６４が開口５２０２に臨む薄板材５６０２の内面に取着されている。また、反射防止機能に優れる布５６０４としてはトリコットなどが採用可能である。
【００１６】
図７に示すように、使用状態において、壁部５２１２に設けられた金属板５８に臨む第２遮光板部６４の箇所に、金属板５８に吸着される磁石６８が設けられている。
また、非使用状態において、壁部５２１２に設けられた金属板６０に臨む第１遮光板部６２の箇所に、金属板６０に吸着される磁石７０が設けられている。本実施の形態では、第１遮光板部６２の先端に、遮光板５６の開閉を円滑に行うための摘み片６３が設けられ、この摘み片６３に磁石７０が設けられている。なお、摘み片６３は、図８に示すように、非使用状態において壁部５２１２の欠部５２２０に収容される。
なお、磁石６８、７０は、図９に示すように、合成樹脂性の薄板材５６０２の内部に埋め込まれて配設されている。
【００１７】
図７に示すように、第１遮光板部６２は長方形形状を呈している。
２つの第２遮光板部６４は、使用状態において前記長方形の２つの短辺にそれぞれ対応する後面部５２１０の箇所に当接する前縁６４０２と、第１遮光板部６２の側部に折り畳み可能に連結される上縁６４０４と、前縁６４０２の下端と上縁６４０４の後端とを接続する後縁６４０６とを備えている。
後縁６４０６は、前縁６４０２の下端から後方に直線状に延在する第１の縁部６４１０と、上縁６４０４の後端から下方に直線状に延在する第２の縁部６４１２と、それら縁部６４１０、６４１２を接続する傾斜縁６４１４とを有し、傾斜縁６４１４は、後方に至るにつれて次第に第１遮光板部６２に近づくように傾斜している。
【００１８】
図６に示すように、複数の係止爪５４は、遮光フード５０をディスプレイパネル１８に係脱させるためのものであり、フレーム５２の前面５２Ａの互いに対向する箇所に設けられている。
本実施の形態では、フレーム５２の互いに対向する一対の長辺部分の両側に係止爪５４がそれぞれ設けられている。
本実施の形態では、一対の長辺部分のうちの一方の長辺部分に設けられた係止爪５４はフレーム５２に対して固定された固定爪７２として形成されている。
また、一対の長辺部分のうちの他方の長辺部分に設けられた係止爪５４は、前記一方の長辺部分に対して離間接近する方向に移動可能な可動爪７４として形成されている。本実施の形態では、可動爪７４は、フレーム５２を構成する一対の短辺部分の延在方向と平行する方向に移動する。
可動爪７４は、固定爪７２よりも前記長辺部分の端部寄りに位置する箇所にそれぞれ設けられ、ディスプレイパネル１８に遮光フード５０が安定した状態で装着されるように図られている。
そして、可動爪７４を、固定爪７２が設けられた前記長辺部分に向けて付勢する付勢手段７６が設けられている。
また、固定爪７２が設けられた前記長辺部分に向かう方向における可動爪７４の限界位置を決定するストッパ７８が設けられている。
本実施の形態では、他方の長辺部分の両側に、可動爪７４を収容するための収容溝８０が設けられ、この収容溝８０の内部に付勢手段７６が配置され、ストッパ７８は収容溝８０の縁で構成されている。
【００１９】
図６に示すように、固定爪７２と可動爪７４は、共に合成樹脂製であり固定爪７２が可動爪７４に臨む面と、可動爪７４が固定爪７２に臨む面とに、それぞれゴムなどからなる弾性部材８２が取着されている。このような弾性部材８２を固定爪７２および可動爪７４に設けると、固定爪７２および可動爪７４を介して遮光フード５０がディスプレイパネル１８に装着された際に、その装着状態を安定化させる上で有利となる。
固定爪７２の先部は、先端に至るにつれて前記他方の長辺部分に近づく方向に湾曲する湾曲部７２Ａとして形成されている。
可動爪７４の先部は、先端に至るにつれて前記一方の長辺部分に近づく方向に湾曲する湾曲部７４Ａとして形成されている。
固定爪７２の湾曲部７２Ａと可動爪７４の湾曲部７４Ａは、遮光フード５０がディスプレイパネル１８に取着された状態で、ディスプレイパネル１８の外面をなす前記円筒面に係止する。
【００２０】
次に遮光フード５０の装着について説明する。
遮光フード５０をディスプレイパネル１８に装着する際には、図４に示すように、ディスプレイパネル１８を収容凹部１２０２から開いて第１の使用位置とする。
そして、遮光板５６を使用状態または非使用状態とする。
次に、フレーム５２の前面５２Ａをパネル用ケース３４の内面３４０４に臨ませて２つの可動爪７４をパネル用ケース３４の下側の長辺部分の下縁に係合させるとともに、その状態でフレーム５２を把持して付勢部材７６の付勢力に抗して上方に変位させる。
これにより、固定爪７２がパネル用ケース３４の上縁よりも上方に位置したならば、その状態でフレーム５２の前面５２Ａを内面３４０４に当て付けて手を離す。
すると、可動爪７４は、付勢部材７６の付勢力により上方に変位し、２つの固定爪７２および２つの可動爪７４は、パネル用ケース３４の上縁および下縁にそれぞれ係合され、パネル用ケース３４を挟持する。この状態は付勢部材７６の付勢力によって保持され、したがって、遮光フード５０のディスプレイパネル１８への装着状態が安定して保持される。
また、図５に示すように、遮光板５６（第１遮光板６２および２つの第２遮光板６４）を使用状態とすることにより、ディスプレイ装置３３の表示面３３０２に対する外光が遮光フード５０によって遮光され、表示面３３０２を視認しやすい状態とすることができる。
ここで、第１の使用位置にあるディスプレイパネル１８を第２の軸Ｐ２回りに揺動させると、遮光フード５０もディスプレイパネル１８と一体に揺動するため、ディスプレイパネル１８の第２の軸Ｐ２回りの回転位置の如何に拘わらず表示面３３０２の視認性を安定して確保する上で有利となる。
【００２１】
また、本実施の形態では、図１０に示すように、ディスプレイパネル１８を第２の使用位置としパネル用ケース３４の外面３４０２を収容凹部１２０２に重ね合わせた場合、ディスプレイパネル１８の外面３４０２が円筒面であるため、外面３４０２の上部および下部と、収容凹部１２０２の底面１２０２Ａおよび収容凹部１２０２を囲むケース１２の側面部分１２１０との間にそれぞれ上方および下方に開放状の空間Ｓ１、Ｓ２が形成される。
ここで、ディスプレイパネル１８の外面をなす円筒面に、固定爪７２、可動爪７４の湾曲部７２Ａ、７４Ａが係止することから、固定爪７２、可動爪７４が空間Ｓ１、Ｓ２に収容され、ディスプレイパネル１８が第２の使用位置に位置しているにも拘わらず、固定爪７２および可動爪７４は底面１２０２Ａおよび側面部分１２１０に干渉しない。すなわち、固定爪７２および可動爪７４はケース１２に干渉しない。
そのため、遮光フード５０を装着した状態でディスプレイパネル１８を第２の使用位置に位置させることができ、ディスプレイパネル１８の第２の使用位置においても遮光フード５０が使用可能となる。
さらに、ディスプレイパネル１８が第２の使用位置にある状態で、遮光フード５０の遮光板５６を非使用状態として遮光板５６により開口５２０２を閉塞すれば、遮光フード５０をコンパクトにでき、したがって、ディスプレイ装置３３の表示面３３０２の保護を図りつつ遮光フード５０を取り外すことなく撮像装置１０の運搬を行う上で有利となる。
特に、従来用いられていた、遮光フードをディスプレイパネルに取り付けるために、弾性帯状体をディスプレイパネルの背面に掛け回す構成では、弾性帯状体が邪魔になるためにディスプレイパネルを第２の使用位置に移動させることができず、使い勝手が悪いものであったが、本実施の形態ではそのような不具合を解消することができ有利である。
【００２２】
遮光フード５０をディスプレイパネル１８から取り外す際には、フレーム５２を把持して付勢部材７６の付勢力に抗して上方に変位させ、固定爪７２をパネル用ケース３４の上縁から離間させ、その状態でフレーム５２の前面５２Ａを内面３４０４から離れる方向に動かす。これにより固定爪７２がパネル用ケース３４の上縁から外れる。次いで、フレーム５２を下方に動かし可動爪７４をパネル用ケース３４の下縁から外し、これにより、遮光フード５０がディスプレイパネル１８から取り外される。
【００２３】
本実施の形態によれば、遮光フード５０を固定爪７２と可動爪７４によってディスプレイパネル１８に装着するようにしたので、遮光フード５０のディスプレイパネル１８に対する装着および取り外しが迅速かつ簡単に行え、使い勝手を高める上で有利となる。
特に、頻繁に移動を繰り返して撮影を行う業務用途で撮像装置１０の移動前および移動後において遮光フード５０の取り付け取り外しを行う場合であっても、遮光フード５０の装着および取り外しに要する時間の短縮化が図れ、業務用途における撮影時の作業性の効率化を図る上で有利となる。
また、固定爪７２と可動爪７４によって遮光フード５０をディスプレイパネル１８に装着するようにしたので、ディスプレイパネル１８のサイズが異なっている場合であっても、可動爪７４の移動ストローク内であれば遮光フード５０を装着でき、したがって、複数種類の撮像装置１０に遮光フード５０を装着でき、遮光フード５０の汎用性を高める上で有利となる。
また、遮光フード５０がディスプレイパネル１８に取り付けられた状態で遮光板５６を非使用状態とすると、遮光板５６はフレーム５２の内側に収容され遮光フード５０がコンパクト化されるため、その状態でディスプレイパネル１８を第２の使用位置にしても遮光フード５０の部分がディスプレイパネル１８に近接する撮像装置１０のケース１２の表面部分に設けられた操作スイッチやコネクタあるいは表示部などを覆わないため、撮像装置１０の操作性を確保する上で有利となる。
【００２４】
（第２の実施の形態）
次に第２の実施の形態について説明する。
第２の実施の形態が第１の実施の形態と異なる点は撮像装置１０の形態である。
図１１は第２の実施の形態においてディスプレイパネル１８に取り付けられた使用状態の遮光フード５０を示す斜視図、図１２はディスプレイパネル１８に取り付けられた非使用状態の遮光フード５０を示す斜視図である。以下の実施の形態では、第１の実施の形態と同様の部分、部材については同一の符号を付して説明する。
図１１に示すように、撮像装置８０はいわゆる業務用ビデオカメラであり、第１の実施の形態の撮像装置１０に比較して大型のものである。
このような撮像装置８０においてもケース１２の左側面に長方形板状のディスプレイパネル１８が開閉可能に連結されている。
したがって、第２の実施の形態においても、図１１に示すように、遮光フード５０が固定爪７２および可動爪７４を介してディスプレイパネル１８に装着され、ディスプレイパネル１８の表示面への外光が遮光され表示面を視認しやすくなっている。
また、図１２に示すように、ディスプレイパネル１８を第２の使用位置に位置させた状態で遮光フード５０の遮光板５６を非使用状態として遮光板５６により開口５２０２を閉塞すれば、遮光フード５０をコンパクトにでき、したがって、表示面の保護を図りつつ遮光フード５０を取り外すことなく撮像装置８０の運搬を行う上で有利となることは第１の実施の形態の場合と同様である。
なお、非使用状態において第１遮光板部６２が、前後方向において壁部５２１２の先端よりも開口５２０２側に位置している状態が図１２に明確に示されている。
このような第２の実施の形態の遮光フード５０によっても第１の実施の形態と同様の効果が奏されることは無論である。
【００２５】
なお、本発明に係る遮光フードは、ディスプレイパネルを有するビデオカメラやデジタルスチルカメラなどの撮像装置に用いることができることは無論のこと、ディスプレイパネルを有する種々の電子機器に広く用いることができる。
【図面の簡単な説明】
【００２６】
【図１】撮像装置１０の斜視図である。
【図２】撮像装置１０の斜視図である。
【図３】撮像装置１０の斜視図である。
【図４】遮光フード５０をディスプレイパネル１８に取り付ける際の説明図である。
【図５】遮光フード５０をディスプレイパネル１８に取り付けた状態の説明図である。
【図６】遮光フード５０の斜視図である。
【図７】遮光フード５０の斜視図である。
【図８】遮光板５６の非使用状態の説明図である。
【図９】遮光板５６の一部を破断して磁石５８、６０を露出させた図である。
【図１０】遮光フード５０が装着されたディスプレイパネル１８を第２の使用位置に位置させた状態を示す図である。
【図１１】第２の実施の形態においてディスプレイパネル１８に取り付けられた使用状態の遮光フード５０を示す斜視図である。
【図１２】第１の実施の形態においてディスプレイパネル１８に取り付けられた非使用状態の遮光フード５０を示す斜視図である。
【符号の説明】
【００２７】
１０……撮像装置、１８……ディスプレイパネル、５０……遮光フード、５２……フレーム、５２Ａ……前面、５２Ｂ……後面、５２０２……開口、５４……係止爪、５６……遮光板、７２……固定爪、７４……可動爪、７６……付勢手段、７８……ストッパ。
【図１】
2008066835.tif 000003
【図２】
2008066835.tif 000004
【図３】
2008066835.tif 000005
【図４】
2008066835.tif 000006
【図５】
2008066835.tif 000007
【図６】
2008066835.tif 000008
【図７】
2008066835.tif 000009
【図８】
2008066835.tif 000010
【図９】
2008066835.tif 000011
【図１０】
2008066835.tif 000012
【図１１】
2008066835.tif 000013
【図１２】
2008066835.tif 000014